(57)【特許請求の範囲】
【請求項１】
基本となる構造として、少なくとも、側板、前板、側板、後板がそれぞれ折り線を介して連接され、前板または後板には、折り線を介して天板、底板が連接されたカートンにおいて、側板に振出し開口部を設け、カートンとして貼り合わせた時に前記振り出し開口部に対し開閉自在に、かつ、被覆可能に前記後板に折り線を介して振出し片を設け、また該振出し片に折り線を介してガイド片を設け、該ガイド片に折り線を介して掛止片を設け、該掛止片の先端にカギ突起部を形成し、一方、前記前板と天板との間の折り線の一部に切り込みを設け、振出し片を引き出した時に、前記カギ突起部が前記切り込みに嵌入し、前記切り込み部の端に掛止することを特徴とする振出しカートン。
【請求項２】
前記振出し片の辺に突出部を設け、振出し用の抜き孔の辺に係止されることを特徴とする請求項１に記載の振出しカートン。
【請求項３】
フィルムを貼り合わせた板紙により構成されていることを特徴とする請求項１又は２に記載の振出しカートン。
【発明の詳細な説明】
【０００１】
【産業上の利用分野】
本発明は振出しカートンに係り、特に振出し片を開けた時、完全に止まるような構造で、菓子、医薬品等の粒状体の包装用に用いられるものである。
【０００２】
【従来の技術】
振出しカートンとしては、二重カートンにして、中箱、外箱に開口部を設け、中箱を少し引き出した時に、前記の開口部同志が合致して、内容物を取り出すような構造のものをはじめ、種々の形式のものがあった。図８は、従来の振出しカートンの例を示している。カートンの側面２に振出し開口部３０を設け、使用前は、振出し片１４で覆われ、使用する際に前記振出し片を外側に引出し、振出し開口部３０から内容物を取り出し、取り出し終わったら、再度前記振出し片により、振出し開口部を被覆するタイプの振出しカートンである。このように、従来の振出しカートンは、振出し片に直接掛止片が連接されていた。
用途としては、粒チョコ、ラムネ菓子（錠剤）、各種豆菓子等によく使われるカートンである。
【０００３】
【発明が解決しようとする課題】
従来の技術による振出しカートンは、カートン側板の天部に近い部分に振出し開口部を設け、カートンの後板に折り線を介して振り出し片、更に前記振出し片の天部に折り線を介してガイド片を設けたカートンにおいて、前記振出し片を引き出す際に、前記ガイド片が天板パネルからはずれてしまうことがあった。また、その前記のはずれのトラブルを防止しようとすると、掛止片を長くすることになり、その結果、振出し片の引出しの程度が十分でない場合があった。そこで、前記振出し片を引き出した時に一定の位置以上引き出せない構造としながら、引出しの終点が十分であるようにする。
又、使用に際し、振出し片の多数回の開閉に耐えるカートン材質とし、さらに使用しない時は、リクローズ性を確実にして内容物が散乱することがないようにする。
【０００４】
【課題を解決するための手段】
かかる課題に対し、本発明者らは、鋭意研究の結果、次のような構造の振出しカートンを提供することができた。即ち、基本となる構造として、少なくとも、側板、前板、側板、後板がそれぞれ折り線を介して連接され、前板または後板には、折り線を介して天板、底板が連接されたカートンにおいて、側板に振出し開口部を設け、カートンとして貼り合わせた時に前記振り出し開口部に対し開閉自在に、かつ、被覆可能に前記後板に折り線を介して振出し片を設け、また該振出し片に折り線を介してガイド片を設け、該ガイド片に折り線を介して掛止片を設け、該掛止片の先端にカギ突起部を形成し、一方、前記前板と天板との間の折り線の一部に切り込みを設け、振出し片を引き出した時に、前記カギ突起部が前記切り込みに嵌入し、前記切り込み部の端に掛止することを特徴とする振出しカートンである。
【０００５】
【発明の実施の形態】
図１は、本発明による振出しカートンの原型となるカートンのブランクの展開図であり、図２は振出し片を引出し開口した状態を示している。原型となるカートンは、貼着板１、側板２、前板３、側板４、後板５をそれぞれ折り線を介して連接され、側板、及び後板には折り線を介してそれぞれ折り込みフラップが連接され、前板には、折り線を介して底板、天板が連接されたカートンを基本形とするが、天板に折り線を介して差し込みフラップを連接し、後板の折り込みフラップのない形でも実施可能であり、あるいは、天板、底板等を一部後板に連接した形のカートンであってもよく、振出しの構造の実現を阻害しなければ、カートン構造を限定するものではない。
【０００６】
側板に設ける振出し開口部３０は、内容物を取り出すのに適した大きさと形状の抜き孔とする。そして前記振出し開口部を被覆するように、カートンの後板５に、折り線を介して振出し片１４を設けるが該振り出し片は、カートンが使用されるまでは、振出し開口部３０を被覆して商品が溢れるのを防止すると同時に、使用時には、受け板の役目を果たすものである。更に前記振出し片１４の天部側に折り線を介して設けられるガイド板１５は、四半円状であり、前記振出し片１６を引き出す際に、ガイドの役目をするものである。
本発明による掛止片１６は、ガイド片１５と折り線Ｌを介して連接するが、振出し片１４を引き出さない時には、掛止片１６は、後板５に略平行に折り込まれる構造としている。そのために、従来の掛止片に比し、その大きさ及び形状に種々の変化を与えうるのである。前記折り込まれた掛止片６は、振出し片１４を引き出すにつれて、天板に平行状態になるように引き出され、最終的に、前記掛止片１６の先端が前板３に接し、振出し片１４がそれ以上引き出されないことになるのである。
【０００７】
上記の原型を基にした本発明の振出しカートンは、ガイド片の先に、折り罫を介して、先端に突起部を有した掛止片を連接し、また、振出し片を外側に引き出した時に、前記掛止片の先端に設けた突起部が自動的嵌入するような切り込みを前板と天パネルの境界部に設けて、振出し片を外側に引き出す際に、前記振出し開口部が十分に開口できる形状である。
（以下削除；また、前記突起部が、前記切り込みの端部に掛止されるか、前記掛止片に設けた突起部が、振出し開口部が設けられた側板に掛止することにより、使用の際に、決められた位置以上に振出し片が引き出されないようなカートンとすることも可能である。）
【０００８】
すなわち、本発明の振出しカートンでは、前記ガイド片の延長上に、折り線を介して、ストッパーフック（以下カギ突起という）付き掛止片を連接した形状であり、該掛止片、すなわち、カギ突起付き掛止片は、使用しない時には、カートンの後板にほぼ平行に折り込まれていて、前記振出し片を引き出す際に、使用時には、前記ガイド板に引かれて、天板の下に移動し、最終的に、カギ突起が前記切り込みの孔に挿入し、切り込み端部において掛止され、振出し片の必要以上の引出しの防止とその終点がわかるものである。
（以下削除；又、前記掛止片の形状と、該掛止片の先端に設ける突起位置を前の例とは異なる設定をすることによって、使用時に、振出し片を引き出した時に、前記カギ突起を振出し開口部を設けた側板の端部に掛止させることによっても同一の効果を得ることができる。）
また、ガイド片と掛止片との形状及び前記両片を連接する折り線の位置により、振出し片の引出し位置の調整が可能であり、振出し開口部に対して、90°の角度、又はそれ以上の角度に引き出すことが可能である。
【０００９】
また、内容物の一部を振出した後、振出し片により振り出し開口部に蓋をすることが可能であるが、使用しない時に、振り出し開口部が開くことは好ましくない。本発明においては、振出し片の一部に突起を設けることにより、リクローズを確実にした。
【００１０】
本発明におけるカギ突起掛止片の突起部が切り込み２０に数回あるいは数十回にわたって挿入されたり、又、突起部が、側板に掛止されたりすると、突起部のつけ根部分、あるいは、前記切り込みの延長上の端部に負荷がかかり、場合によっては、前記突起部のつけ根、或いは、前記切り込みの端部が裂けることがある。そこで、本発明者らは、種々のテストをした結果、カートン用の板紙に、プラスチックフィルムを貼り合わせることにより、前記切り込み部の端部の裂けを確実に防止することができるを見いだした。この場合、張り合わせ用に用いられるフィルムとしては、ポリ塩化ビニル、ポリプロピレン、ポリエチレン、ポリエステル、ポリスチレン、ポリカーボネート等で、また、その厚さは、５  〜１００  μｍ程度、好ましくは１０〜５０μｍである。
また、板紙にフィルムを貼り合わせることによって、防湿性向上等も期待できる。
【００１１】
【作用】
振出しの時、振出し片を引き出す際に、振出し開口部を設けた側板に対し、常に９０°以上の角度に開き、消費者に引出しの終点を認識させることができる。
内容物を一部振出した後、振出し片１４にて振出し開口部３０を被覆する際に、前記振出し片に設けられた突出部Ｐを押すと前記突出部が前記振出し開口部の内側に押し込まれ掛止され、使用しない時には開口部が容易に開く恐れがない。
【００１２】
実施例
図３は、本発明による振出しカートンの展開図であり、また図４（ａ）は、振出し片を引き出す前の各フラップの状態を、また（ｂ）は振出し片を引出し、カギ突起部Ｋが切り込み２０に挿入して、前記振出し片１４が一定位置で停止した際のガイド板１５、カギ突起掛止片１６等の位置関係を説明するために、それぞれ天板１１及び差し込みフラップ１３を上げて中の状態を示す説明図である。
【００１３】
本実施例の振出しカートン構造について説明する。振出し開口部３０をカートンの天板１１に近い部分に設ける場合、側板２の天部に近い位置に振出し口３０を設ける。前板３と天板１１の境界部に切り込み２０を設ける。
次に、後板５に折り線を介して、前記振出し口を被覆するのに充分な面積を有する振出し片１４を設ける。前記振出し口を被覆するのに充分な面積とは、前記振出し口よりも数ｍｍ程度大きめの面積をいう。次いで、前記振出し片の天部側に折り線を介してガイド片１５を連接し、更に該ガイド板の延長部に折り線Ｌを介してカギ突起部Ｋを有する掛止片（以下、カギ突起掛止片という）１６を設ける。
ガイド片は、四半円状とし、振出し片を引き出すためのガイドとなると共に連接されているカギ突起掛止片をスムーズに引出し、カギ突起部Ｋを切り込み２０のなかに確実に掛止させる働きをする。
【００１４】
本発明において、前記振出し片１４、ガイド片１５、カギ突起掛止片１６の連接の位置関係としては、図４（ａ）に示すように、カートン使用前には、振出し片１４は、振出し開口部３０を被覆し、ガイド片１５は、側板２に連接した折り込みフラップ１０と共に、天板１１の下に畳みこまれ、掛止片１６は、更に折り込まれて、後板５と略平行に収納される。
【００１５】
消費者等がこのカートンを使用する時、振出し片１４を引き出すにつれて、カギ突起掛止片１６が上部にせりだして、天板に邪魔されながら、折り線Ｌの部分がフラットになるとともに、カギ突起部Ｋは円軌道を描きながら、切り込み２０の中に挿入され、最終的にσの位置でストップするのである。
この一連の動きをスムーズに行うために、折り線Ｌの罫は、切り罫等を含め、特に折れやすく加工する。
以上の説明で明らかなように、前記カギ突起掛止片１６のカギ突起部Ｋを設ける際の形状及び位置は、本発明の振出しカートンＣを使用する際に振出し片１４を引き出すにつれて、前記切り込み２０に挿入され、最終的にフック部分、即ち、カギ突起部Ｋが、前記切り込み２０の端部σにて停止するようにする。
【００１６】
参考例
図５及び図６（ａ）（ｂ）（ｃ）は、本発明の実施例とは異なる参考例の実施態様を示し、図５は展開図、図６（ａ）（ｂ）（ｃ）は、本参考例の振出し片の掛止の状態を説明するために、天板１１及び差し込みフラップ１３を挙げた状態での振出し片１４、ガイド片１５、掛止片１６及び掛止片の先端に設けた突起部Ｋ′について示している。突起部Ｋ′は該掛止片１６′の先端に設けるが、突起部Ｋ′の形状は、小さな正方形あるいは長方形でよい。掛止にいたる各片の動きは、前記の例と同様に、ガイド片１５′に連接された掛止片１６′が、後板５に平行に収納されていた状態から、使用時振出し片１４を引き出すにつれて、天板１１に平行になるように引き出され、次いで、掛止片１６′に設けられた突起部Ｋ′が、前板３に接触して、下方にくせ折りされ、最終的に、側板の端部２に掛止され、振出し片１４のそれ以上の引出しを阻止する。
【００１７】
前記実施例における掛止片のカギ突起部Ｋの切れを防止するため、また、実施例のカギ突起部Ｋが切り込み２０に掛止される際の切り込み２０の延長上にある、σの部分が切れるのを防止するために本実施例においては、カートンの内面にＯＰＰ（４０μｍ）を貼合することによる強度アップを図り問題を解決した。  又、カートンを開封することなく、内容物の種類や色、もしくは残量等が見えるようにカートンの前板３の一部に窓４０を設け、外窓の内側にＯＰＰフィルム（２０μｍ）を貼った。
【００１８】
図７は、本実施例における振出し片１４の掛止について振出し開口部３０を設けた側板２を示し、（ａ）は、振出し開口部３０の位置を示し、（ｂ）は前記振出し開口部３０に振出し片１４を被覆した状態を示し、（ｃ）は振出し片１４に設けられた突出部Ｐを押し込んで、振出し開口部３０の辺に掛止させた状態を示している。
本カートンを使用しない時には、振出し片１４により振り出し開口部３０を被覆し、振出し片１４に設けた突出部Ｐをカートン内部に押し込み、振出し開口部３０の辺に係止させる。なお、切り線ｚは、前記突起部Ｐの押し込みを容易にするために設けた。このように振出し片１４を係止することによって、振出しカートンを使用していない時に、蓋である振出し片１４が開くのが防止できる。
このリクローズのための突出部Ｐの形状は本発明の実施例に記載の位置及び形状に限定されるものではない。
【００１９】
【発明の効果】
ガイド片１５、折り線を介して掛止片１６を設け、該掛止片１６の先端にカギ突起部Ｋを設けた事により振出し片を引出しすぎて、天板から外れてしまうことがなくなり、振出し口が十分に、かつ、確実に開いたことの確認が可能となった。また、使用していない時には、振出し片１４が、振出し開口部３０の一辺に掛止されるので、不用意に内容物を零すことがない。その結果、実際の主たる使用者が子供である粒チョコ、ラムネ菓子（錠剤）、各種豆菓子等の包装に、内容物をこぼすことなく安定して使用することができるようになった。
【図面の簡単な説明】
【図１】本発明の振出しカートンの原型となるカートンの展開図
【図２】本発明の振出しカートンの原型となるカートンの斜視図
【図３】本発明の実施例の展開図
【図４】本発明の実施例の使用状態を示す説明図
【図５】本発明の実施例とは異なる参考例の展開図
【図６】本発明の実施例とは異なる参考例の使用状態を示す説明図
【図７】振り出し片のリクローズについての説明図
【図８】従来の振出しカートンの展開図
【図１】
0003624007.tif 000002
【図２】
0003624007.tif 000003
【図３】
0003624007.tif 000004
【図４】
0003624007.tif 000005
【図５】
0003624007.tif 000006
【図６】
0003624007.tif 000007
【図７】
0003624007.tif 000008
【図８】
0003624007.tif 000009